(57)【要約】  効率よく捕虫する。空気清浄機（１）は、吸込口（４）、吹出口（５）、送風機（１０）および空気処理部を有し、送風機（１０）が吸込口（４）から空気処理部を経て吹出口（５）へ向かう空気の流れを生じさせ、空気の流路に捕虫シート（３１）が設けられ、熱により虫を誘引する加熱部（１４）を備える。
2017221447.tif 000002
【特許請求の範囲】
【請求項１】
空気吸込口、空気吹出口、送風機および空気処理部を有し、前記送風機が前記空気吸込口から前記空気処理部を経て前記空気吹出口へ向かう空気の流れを生じさせ、前記空気の流路に捕虫部材が設けられている空気処理装置において、
熱により虫を誘引する加熱部を備えていることを特徴とする空気処理装置。
【請求項２】
前記加熱部は、電気が供給されて発熱するヒータであることを特徴とする請求項１に記載の空気処理装置。
【請求項３】
前記加熱部は、蓄熱材であることを特徴とする請求項１に記載の空気処理装置。
【請求項４】
前記空気吸込口および前記空気吹出口が形成され、内部に前記送風機および前記空気処理部が設けられている筐体を有し、
前記捕虫部材は、表面に粘着面を有する捕虫シートからなり、前記筐体の内面に取り付けられ、
前記加熱部は、前記筐体の内面と前記捕虫シートとの間に設けられていることを特徴とする請求項２または３に記載の空気処理装置。
【請求項５】
前記筐体は、前記空気吹出口が形成され、内部に前記送風機および前記空気処理部が設けられている本体部筐体と、前記空気吸込口が形成され、前記本体部筐体に対して着脱自在に取り付けられるカバー部材とを備え、
前記本体部筐体とカバー部材との間には、前記空気吸込口とつながる捕虫空間が設けられ、前記捕虫シートおよび前記加熱部は、前記カバー部材の内面に設けられていることを特徴とする請求項４に記載の空気処理装置。
【請求項６】
前記加熱部は、前記送風機のモータの排熱を当該空気処理装置の本体部筐体へ伝える伝熱部を備えていることを特徴とする請求項１に記載の空気処理装置。
【請求項７】
前記加熱部は、加熱対象物を３５〜４０℃の範囲の温度に加熱することを特徴とする請求項１から６のいずれか１項に記載の空気処理装置。
【発明の詳細な説明】
【技術分野】
【０００１】
本発明は、空気清浄機や除湿機等の空気処理装置に関する。
【背景技術】
【０００２】
近年、大気中にＰＭ（Particulate Matter: 粒子状物質）２．５等のホコリ状物質が含まれる気象状況が増え、健康被害を防止する意識の向上から、一般家庭において空気清浄機が多用されている。また、梅雨がある日本など、多湿になり易い地域では、一般家庭やオフィス等において、除湿機が多用されている。また、世界的に、虫、特に蚊が媒介する感染症が増加しており、一般家庭等での捕虫器の要求も高まっている。この種の捕虫器としては、特許文献１〜４に開示された構成が知られている。【０００３】
一方、利便性の観点から、特許文献５に示すように、捕虫機能を備えた空気清浄機が提案されている。特許文献５に示されている構成では、集塵フィルタと脱臭フィルタを通る第１の風路とは別に、第２の風路を備え、検知センサにて蚊を検知した場合に、風路を第１の風路から第２の風路２９へ切り替え、ガス発生装置から第２の風路へガスを散布して蚊を殺すようになっている。
【先行技術文献】
【特許文献】
【０００４】
【特許文献１】日本国公開特許公報「特開２００６−２３０２５８号公報」
【特許文献２】日本国公開特許公報「特開２００４−１０５０５８号公報」
【特許文献３】日本国公開特許公報「特開平１１−１２７７５６２号公報」
【特許文献４】日本国公開特許公報「特開平１０−２２７５０３号公報」
【特許文献５】日本国公開特許公報「特開２００９−２５０４６３号公報」
【非特許文献】
【０００５】
【非特許文献１】鈴木健二，ヒトスジシマカの行動に対する温度効果，千葉大学教育学部紀要  第２６巻  第２部  p.7-17，1997年12月20日
【発明の概要】
【発明が解決しようとする課題】
【０００６】
特許文献５に示されている構成は、空気清浄機の内部へ取り込んだ蚊を殺すことが可能であるものの、蚊を空気清浄機の内部へ効率よく誘引する構成を備えていない。このため、効率よく捕虫することができない。【０００７】
したがって、本発明は、蚊等の虫を効率よく捕虫することができる空気処理装置の提供を目的としている。
【課題を解決するための手段】
【０００８】
上記の課題を解決するために、本発明の一態様における空気処理装置は、空気吸込口、空気吹出口、送風機および空気処理部を有し、前記送風機が前記空気吸込口から前記空気処理部を経て前記空気吹出口へ向かう空気の流れを生じさせ、前記空気の流路に捕虫部材が設けられている空気処理装置において、熱により虫を誘引する加熱部を備えていることを特徴としている。
【発明の効果】
【０００９】
本発明の一態様によれば、加熱部が発する熱により、蚊等の虫を誘引し、効率よく捕虫することができるという効果を奏する。
【図面の簡単な説明】
【００１０】
【図１】本発明の実施形態の空気処理装置を適用した空気清浄機の外観を示す斜視図である。
【図２】図１に示した空気清浄機の縦断面図である。
【図３】図１に示したカバー部材を内側から見た場合の斜視図である。
【図４】本発明の他の本実施形態の空気処理装置を適用した空気清浄機の構成を示す縦断面図である。
【図５】本発明のさらに他の実施形態の空気清浄機の構成を示す縦断面図である。
【図６】本発明の変形形態の除湿機の内部構造を示す縦断面図である。
【図７】図６に示したルーバに対する制御系統の構成を示すブロック図である。
【図８】本発明の他の変形形態の除湿機の内部構造を示す縦断面図である。
【発明を実施するための形態】
【００１１】
〔実施形態１〕
本発明の実施形態を図面に基づいて以下に説明する。本実施形態では、一例として、本発明の空気処理装置を空気清浄機に適用した場合について説明する。図１は、本実施形態の空気清浄機の外観を示す斜視図である。図２は、図１に示した空気清浄機の縦断面図である。なお、以下に示す各図において、白抜きの矢印は空気の流れを示している。
【００１２】
（空気清浄機の外部構造）
図１に示すように、空気清浄機１は、例えば居室等の床面に設置する構造であり、横断面が略楕円形の本体部筐体２、およびカバー部材３を有している。本体部筐体２およびカバー部材３は、空気清浄機１の筐体を構成している。カバー部材３は、本体部筐体２の背面側に着脱可能に取り付けられている。カバー部材３の内面には、表面に粘着面を有する捕虫シート（捕虫部材）３１が貼り付けられている。本体部筐体２の背面およびカバー部材３の外面の色は黒色となっている。黒色は蚊等の虫が好む色であり、本体部筐体２の背面およびカバー部材３の外面の色を黒色にすることにより、虫をカバー部材１３の近傍に容易に誘引できるようにしている。
【００１３】
本体部筐体２の上面の周縁部には透明な樹脂から成るスリーブ部１２が設けられ、本体部筐体２の上面前部には操作部６が設けられている。操作部６は複数のボタン（不図示）を有し、使用者が上記ボタンを操作して空気清浄機１の動作設定を行う。例えば、空気清浄機１の動作のオンオフ、後述する送風機１０の風量の変更、後述するイオン発生装置１１のオンオフ等の動作設定を行う。
【００１４】
（空気清浄機の内部構造）
図１および図２に示すように、カバー部材３には複数の吸込口（空気吸込口）４が形成され、本体部筐体２の背面には流入口２０が形成されている。カバー部材３と本体部筐体２の背面との間には捕虫空間（空気の流路）２５が形成され、カバー部材３の吸込口４と本体部筐体２の流入口２０とは捕虫空間２５を介して連通している。なお、図１では、カバー部材３の吸込口４から本体部筐体２の吸込口４の一部が見えている状態を示している。
【００１５】
図２に示すように、本体部筐体２の上面には吹出口（空気吹出口）５が形成されている。本体部筐体２の内部には送風通路７が形成され、吸込口４と吹出口５とは、捕虫空間２５、流入口２０および送風通路７を介してつながっている。
【００１６】
送風通路７内には流入口２０から吹出口５に向かって、すなわち風の流れの上流から下流に向かって、プレフィルタ（空気処理部）８、ＨＥＰＡフィルタ（空気処理部）９、送風機１０およびイオン発生装置（空気処理部）１１が設けられている。
【００１７】
送風機１０は、軸方向に吸気して周方向に排気する遠心ファンであり、本体部筐体２の下部に設けられている。送風機１０は、モータ１０ａとモータ１０ａの回転軸に取り付けられた羽根車１０ｂとを有する。空気清浄機１では、送風機１０を本体部筐体２の下部に配置することにより、本体部筐体２の上下方向の長さを長くすることなく、送風機１０が形成する気流の流路面積を徐々に広げることができる。送風機１０は、操作部６の操作により例えば「微」、「弱」、「中」および「強」の複数の送風レベルに設定できる。なお、送風機１０は、軸流ファンであってもよい。
【００１８】
プレフィルタ８は、ＡＢＳ等の合成樹脂で形成された複数段複数列の窓を有する矩形の枠８ａにポリプロピレン製のメッシュ８ｂを溶着して形成されている。メッシュ８ｂの目の大きさは蚊やハエ等の虫が通過できない大きさに形成されている。プレフィルタ８は空気中の大きな塵埃を捕集する。
【００１９】
ＨＥＰＡフィルタ９は、濾材９ａを覆うように枠材９ｂがホットメルトにより溶着されている。ＨＥＰＡフィルタ９によってＰＭ２．５等の微小粒子状物質を含む空気中の微細な塵埃を捕集することができる。なお、活性炭等の吸着材を有する脱臭フィルタをプレフィルタ８とＨＥＰＡフィルタ９との間に配置してもよい。この場合には、空気中の臭気成分を吸着して空気を脱臭することができる。
【００２０】
イオン発生装置１１は、高電圧の印加によりイオンを発生する電極（不図示）を有し、電極は送風通路７内に面している。電極には交流波形またはインパルス波形を有する電圧が印加される。電極の印加電圧が正電圧の場合はプラスイオンを発生し、負電圧の場合はマイナスイオンを発生する。イオン発生装置１１は、プラスイオンおよびマイナスイオンを発生して吹出口５から送出することにより、居室内の除菌および除臭を行う。
【００２１】
（カバー部材および捕虫シート）
図３はカバー部材３を内面側（本体部筐体２側）から見た場合の斜視図である。カバー部材３は、例えば、本体部筐体２に設けられた係合孔（不図示）に係合する係合片（不図示）を有し、本体部筐体２に対して着脱可能となっている。カバー部材３は、後方に凸になるように湾曲し、左右の両端部に複数（本実施形態では５個）の吸込口４が上下に並設されている。なお、吸込口４は１個でもよい。
【００２２】
捕虫シート３１は、例えば基材シート３２の一面に粘着剤３３を配したものであり、取付板３４上に貼着されている。捕虫シート３１および取付板３４は黒色である。基材シート３２は例えば紙や樹脂フィルム等により形成されている。粘着剤３３は、特に限定はされないが、例えばアクリル系の粘着剤を用いることができる。
【００２３】
なお、粘着剤３３は水溶性であってもよい。水溶性の粘着剤３３の材質としては例えばデキストリン、ポリビニルアルコール、ポリビニルピロリドン、デンプンやアラビアゴム等を挙げることができる。これにより、カバー部材３を本体部筐体２から取り外し、虫や塵埃等が付着した粘着剤３３の表面を水等で洗い流すことができる。したがって、捕虫シート３１の交換頻度を少なくすることができる。
【００２４】
また、捕虫シート３１および取付板３４は黒色にしているのは、虫を捕虫シート３１に容易に誘引できるようにするためである。
【００２５】
カバー部材３に対する取付板３４の取り付けは、例えば次のようにして行われている。図３に示すように、取付板３４の四隅（少なくとも上側の二四隅）に係合孔３４ａを形成し、カバー部材３の内面の上部に、左右一対の鉤状の係合片（不図示）を突出状態に設け、カバー部材３の内面の下部に、取付板３４を挿入する溝（不図示）を有した正面視Ｌ字状の左右一対の支持部３４ｂを設ける。
【００２６】
これにより、取付板３４の係合孔３４ａをカバー部材３の係合片に係合させ、取付板３４の下端部の左右端部を支持部３４ｂに載置して、取付板３４すなわち捕虫シート３１をカバー部材３に対して、着脱可能に取り付けることができる。この場合、捕虫シート３１はプレフィルタ８に対向する。
【００２７】
なお、捕虫空間２５（図２参照）には、誘引光源２１が設けられていてもよい。誘引光源２１は、蚊等の虫を誘引する約３６５ｎｍの紫外線を出射する例えば紫外線発光ダイオードである。誘引光源２１を設けることにより、蚊等の虫を捕虫空間２５に誘引し易くなる。
【００２８】
また、カバー部材３の内面（図３参照）には虫を誘引する臭気物質を発生するニオイ発生部２２が設けられていてもよい。臭気物質は、特に限定されないが、例えば乳酸を挙げることができる。ニオイ発生部２２を設けることにより、蚊等の虫を捕虫空間２５に誘引し易くなる。なお、ニオイ発生部２２の設置場所は、捕虫空間２５内であれば、カバー部材３の内面に限定されず、例えば本体部筐体２の背面であってもよい。
【００２９】
また、捕虫シート３１の基材シート３２に臭気物質を含有させてニオイ発生部を形成してもよい。また、基材シート３２上に粘着剤３３と臭気物質とを千鳥模様や縞模様になるように隣接して塗布し、ニオイ発生部を形成してもよい。また、捕虫シート３１の粘着剤３３に臭気物質を含有させてニオイ発生部を形成してもよい。すなわち、捕虫シート３１に臭気物質を設けてニオイ発生部を形成してもよい。また、取付板３４に臭気物質を塗布してニオイ発生部を形成してもよい。
【００３０】
（加熱部の構成）
空気清浄機１は、図２および図３に示すように、蚊等の虫を誘引する加熱部１４を備えている。本実施形態において、加熱部１４は、ヒータ５１からなり、ヒータ５１は、例えばＰＴＣ（Positive Temperature Coefficient：正温度係数）素子からなる。ヒータ５１は、取付板３４の表面、すなわち取付板３４と捕虫シート３１との間に複数個が分散して設けられている。なお、ヒータ５１の個数については、特に限定されない。
【００３１】
蚊は特定の温度の環境に誘引されることが知られている。そこで、加熱部１４すなわちヒータ５１は、蚊を誘引できる温度に捕虫シート３１を加熱する。
【００３２】
上記のような蚊の習性に関し、非特許文献１には、「ヒトスジシマカの行動に対する温度効果」についての研究結果が示されている。非特許文献１の図２には、ヒトスジシマカの刺す行動とその接近行動に関し、温度（横軸：摂氏温度）と反応率（縦軸：パーセント）との関係が示されている。また、非特許文献１の第１０頁の第４行〜第７行には、「１．交尾雌による実験」の結果として、ヒトスジシマカの熱源への接近に関し、「３５℃から３９℃に至る間では、集まってくる数は、……上昇して、３９℃において約７６％の最大の山に達した」こと、「４１℃から４５℃ではそれぞれ約５０％の反応がみられた」ことが記載されている。また、第１０頁の第１２行〜第１３行には、「刺す行動も熱源に接近する行動と似た経過を辿った」こと、第１９行〜第２０行には、「３９℃では刺す反応がピーク」となったことが記載されている。また、非特許文献１の第１１頁の第２行〜第３行には、「２．未交尾雌による実験」の結果として、「未交尾雌が熱源に接近する行動は、交尾雌と大差はない」こと、「３５℃から３９℃にかけての温度帯が、未交尾雌の刺す反応を比較的誘起し易い」と考えられることが記載されている。
【００３３】
したがって、ヒータ５１による捕虫シート３１に対しての加熱温度は、３９℃とする。なお、ヒータ５１による加熱温度は、３５℃〜４０℃の範囲であれば、蚊に対する良好な誘引機能を備えることができる。また、捕虫シート３１に使用している粘着材が溶ける温度は、例えば６０℃程度といった、ヒータ５１による上記加熱温度の範囲よりもはるかに高い温度であり、捕虫シート３１をヒータ５１にて加熱することは問題ない。
【００３４】
（空気清浄機の通常動作）
上記の構成において、空気清浄機１の通常動作について説明する。空気清浄機１が運連を開始すると、送風機１０の動作により、吸込口４、捕虫空間２５、流入口２０、プレフィルタ８、ＨＥＰＡフィルタ９、送風通路７、イオン発生装置１１および吹出口５の順路での風の流れが生じる。この場合、プレフィルタ８は、空気中の大きな塵埃を除去する。ＨＥＰＡフィルタ９は、ＰＭ２．５等を含む空気中の微細な塵埃を除去する。イオン発生装置１１は、空気中にイオンを付与する。したがって、プレフィルタ８およびＨＥＰＡフィルタ９により浄化され、イオン発生装置１１にてイオンが付与された空気が、吹出口５から居室内へ送出される。
【００３５】
（空気清浄機の捕虫動作）
次に、空気清浄機１の捕虫動作について説明する。空気清浄機１付近にいた蚊は、吸込口４への空気の流れに伴って、吸込口４から捕虫空間２５へ入り込む。この場合、捕虫シート３１は、ヒータ５１によって蚊を誘引する温度に加熱されているので、捕虫空間２５に入り込んだ蚊は、捕虫シート３１の熱に誘引されて捕虫シート３１により容易に捕虫される。すなわち、空気清浄機１は、加熱部１４を備えていることにより、特に蚊を効率よく捕虫することができる。
【００３６】
（加熱部（ヒータ）の他の配置例）
加熱部１４（ここではヒータ５１）の配置位置は、捕虫シート３１と取付板３４との間の位置、すなわち捕虫シート３１の裏面に限定されず、以下に示す位置であってもよい。この点は、後述する他の実施形態においても同様である。
【００３７】
加熱部１４（ヒータ５１）の位置は、取付板３４とカバー部材３との間、すなわち取付板３４が配置されるカバー部材３の内面であってもよい。この場合、加熱部１４から捕虫シート３１へ効率よく熱を伝えるため、取付板３４は熱伝導性の良好な部材、例えば銅やアルミニウムにて形成することが好ましい。
【００３８】
また、加熱部１４（ヒータ５１）の位置は、以下に示すように、捕虫シート３１の配置位置に限定されない。すなわち、空気清浄機１は、加熱部１４を備えていることにより、加熱部１４が発する熱により、蚊等の虫を誘引し、効率よく捕虫することができる。
【００３９】
例えば、加熱部１４（ヒータ５１）がカバー部材３の内面や本体部筐体２の内面など、空気清浄機１の適当な位置に設けられていることにより、蚊を空気清浄機１に誘引し、吸込口４に向う空気の流れにより蚊を捕虫空間２５に取り込み易くなる。これにより、捕虫シート３１により蚊を捕虫し易くなる。また、加熱部１４が吸込口４の近傍に設けられている場合、蚊を吸込口４に誘引し、吸込口４に向う空気の流れにより蚊を捕虫空間２５に取り込み易く、捕虫シート３１により蚊を捕虫し易くなる。また、加熱部１４が捕虫空間２５に設けられている場合についても同様である。
【００４０】
また、ヒータ５１は、ＰＴＣ素子により構成しているので、簡単な構成にて加熱対象物（捕虫シート３１）の加熱温度を所定温度に維持することができる。
【００４１】
ただし、ヒータ５１は、例えばシーズヒータなど、ＰＴＣ素子以外のヒータであってもよい。この場合、加熱部１４は、例えば、ヒータ、温度センサ、スイッチおよび制御部を備えた構成となる。すなわち、ヒータは、取付板３４と捕虫シート３１との間に設けられる。温度センサは、捕虫シート３１の温度を検出する。スイッチは、ヒータと電源との接続回路をオンオフする。制御部は、温度センサの検出結果に基づき、捕虫シート３１が所定の温度となるように、スイッチのオンオフを制御する。また、スイッチに代えてインバータ回路を備え、インバータ回路によるヒータへの供給電力制御を行ってもよい。
【００４２】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。本実施形態では、一例として、本発明の空気処理装置を空気清浄機に適用した場合について説明する。
【００４３】
（加熱部の構成）
図４は、本実施形態の空気清浄機の構成を示す縦断面図である。図４に示すように、本実施形態の空気清浄機４１の加熱部１４は、送風機１０のモータ１０ａの排熱を利用して空気清浄機４１の本体部筐体２を加熱するようになっている。
【００４４】
具体的には、加熱部１４は、送風機１０のモータ１０ａ、モータ支持部材（伝熱部）６１、伝熱部材（伝熱部）６２および放熱部材（伝熱部）６３を備えている。モータ支持部材６１は、モータ１０ａを支持し、モータ１０ａを囲むように設けられ、モータ１０ａの排熱が伝達される。伝熱部材６２は、モータ支持部材６１と放熱部材６３とを接続し、モータ支持部材６１に伝達されたモータ１０ａの排熱を放熱部材６３へ伝達する。放熱部材６３は、本体部筐体２の内面と接触するように設けられ、伝熱部材６２から伝達されたモータ１０ａの排熱を本体部筐体２へ伝達する。なお、放熱部材６３は、本体部筐体２の内面に固定された薄板であってもよい。
【００４５】
モータ支持部材６１、伝熱部材６２および放熱部材６３は、モータ１０ａの排熱を本体部筐体２へ良好に伝えるため、例えば銅あるいはアルミニウム等の金属など、高い熱伝導率を有する材料にて形成されており、少なくとも本体部筐体２を形成する樹脂材料よりも高い熱伝導率を有する。
【００４６】
（空気清浄機の通常動作）
上記の構成において、空気清浄機４１が運連を開始すると、前述したように、送風機１０の動作により、吸込口４から吹出口５へ向かう風の流れが生じ、浄化され、かつイオンが付与された空気が吹出口５から居室内へ送出される。
【００４７】
（空気清浄機の捕虫動作）
空気清浄機４１の運連中に送風機１０のモータ１０ａから生じる排熱は、モータ支持部材６１、伝熱部材６２および放熱部材６３を介して本体部筐体２に伝達される。したがって、放熱部材６３付近の本体部筐体２の温度が上昇し、温度上昇している本体部筐体２の周りに蚊が誘引される。その後、本体部筐体２の周りに誘引された蚊は、吸込口４への空気の流れに伴って、吸込口４から捕虫空間２５へ入り込み、捕虫シート３１により捕虫される。
【００４８】
このように、空気清浄機４１は、蚊を捕虫空間２５の内部へ直接誘引するものではないものの、加熱部１４によって空気清浄機４１の本体部筐体２の周りに蚊を誘引し、吸込口４への空気の流れに伴って、吸込口４から捕虫空間２５の内部へ蚊が取り込み易くなる。この結果、捕虫機能を高めることができる。
【００４９】
ここで、運転中のモータ１０ａの温度は、例えば８０℃程度など、蚊を誘引するのに好適な温度（３５℃〜４０℃）よりもはるかに高い温度となる。したがって、モータ１０ａの排熱をモータ支持部材６１、伝熱部材６２および放熱部材６３を経て本体部筐体２へ伝達して、蚊を誘引できる温度に本体部筐体２を加熱することは容易である。
【００５０】
また、空気清浄機４１では、本体部筐体２のモータ１０ａの位置から最も近い部分が本体部筐体２の前部であるため、加熱部１４によって本体部筐体２の前部を加熱する構成としている。しかしながら、加熱部１４による本体部筐体２の加熱位置は、前部に限定されない。すなわち、加熱部１４による本体部筐体２の加熱位置は、モータ１０ａの配置位置や、モータ支持部材６１、伝熱部材６２および放熱部材６３を配置可能な空気清浄機４１の内部構造に応じて、適宜設定すればよい。
【００５１】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。本実施形態では、一例として、本発明の空気処理装置を空気清浄機に適用した場合について説明する。
【００５２】
（加熱部の構成）
図５は、本実施形態の空気清浄機の構成を示す縦断面図である。図５に示すように、本実施形態の空気清浄機４２は、加熱部１４として蓄熱材７１を備え、蓄熱材７１により捕虫シート３１を加熱するようになっている。
【００５３】
具体的には、空気清浄機４２では、捕虫シート３１は取付板３４上に貼着されている。カバー部材３の内面に固定されている取付板３４は例えば下端部がＬ字形に形成され、これにより、取付板３４とカバー部材３の間には、蓄熱材収納部７２となる隙間が形成されている。蓄熱材収納部７２には、蓄熱材７１が収納されている。蓄熱材７１は、例えば蓄熱材収納部７２の上部の開口部から、蓄熱材収納部７２へ出し入れ可能となっている。取付板３４は熱伝導性の良好な部材、例えば銅やアルミニウムにて形成することが好ましい。
【００５４】
蓄熱材７１は、加熱部１４を構成し、捕虫シート３１を加熱する。この場合、蓄熱材７１は、蚊を効率よく誘引できる３５℃〜４０℃の範囲に捕虫シート３１を加熱し、より好ましくは３９℃に加熱する。
【００５５】
蓄熱材７１には、液体から固体に凝固する際に、発熱する潜熱蓄熱材を使用する。このような潜熱蓄熱材としては、玉井化成（株）や（株）ネギシの製品（チオ硫酸ナトリウム水和物（融解温度４３℃、凝固温度３９℃）や酢酸ナトリウム水和物（融解温度４２℃、凝固温度３９．４℃））など、一般に知られている潜熱蓄熱材を使用することができる。
【００５６】
潜熱蓄熱材は、液体が凝固点（相遷移点）にて凝固して固体になるまで、一定の温度を保つものであり、凝固点（相遷移点）が任意の温度となるように製造することができる。したがって、蓄熱材（潜熱蓄熱材）７１は、捕虫シート３１を３５℃〜４０℃の範囲に加熱できるもの、より好ましくは３９℃に加熱できるものを使用する。なお、凝固した蓄熱材７１は、例えば電子レンジ等により暖めて液化させ、再利用することができる。
【００５７】
（空気清浄機の捕虫動作）
空気清浄機４２を運転する際には、蓄熱材収納部７２に蓄熱材７１を配置する。この場合、蓄熱材７１は加熱されて液化した状態である。
【００５８】
空気清浄機４２が運転を開始すると、空気清浄機１付近にいた蚊は、吸込口４への空気の流れに伴って、吸込口４から捕虫空間２５へ入り込む。この場合、捕虫シート３１は、蓄熱材７１によって蚊を誘引する温度に加熱されている。したがって、捕虫空間２５に入り込んだ蚊は、捕虫シート３１の熱に誘引されて捕虫シート３１により容易に捕虫される。すなわち、空気清浄機４２は、加熱部１４（蓄熱材７１）を備えていることにより、特に蚊を効率よく捕虫することができる。
【００５９】
〔変形形態１〕
本発明の変形形態を図面に基づいて以下に説明する。なお、説明の便宜上、前記実施形態にて説明した部材と同じ機能を有する部材については、同じ符号を付記し、その説明を省略する。本変形形態では、一例として、本発明の空気処理装置を除湿機に適用した場合について説明する。
【００６０】
（除湿機の構成）
図６は、本変形形態の除湿機の内部構造を示す縦断面図である。図６に示すように、除湿機８１は、左右の側面の一方側に第１吸込口９１を有し、第１吸込口９１の反対側に第２吸込口９２を有し、上部に第３吸込口９３を有する。また、第３吸込口９３の隣に吹出口９４を有する。これら第１〜第３吸込口９１〜９３および吹出口９４は、除湿機８１の筐体９５に形成されている。
【００６１】
筐体９５の内部の上部には、第１吸込口９１から第２吸込口９２へ向かって、凝縮器９６、送風機９７および蒸発器９８が設けられている。また、筐体９５の底部であって、送風機９７の下方の位置には、ドレンタンク９９が設けられ、ドレンタンク９９の横にはコンプレッサ１００が設けられている。
【００６２】
蒸発器９８、コンプレッサ１００および凝縮器９６は冷凍サイクル（空気処理部）を構成している。蒸発器９８は外部から熱を吸収して冷媒ガスを蒸発させる。コンプレッサ１００は、蒸発器９８を経た冷媒ガスを圧縮して凝縮器９６へ供給する。凝縮器９６は冷媒ガスを液化させて熱を外部へ放出する。送風機９７は、両翼ファン９７ａおよびファン駆動モータ９７ｂを備える。両翼ファン９７ａは、凝縮器９６に対向する第１翼９７ａ１、および捕虫通路１０４に対向する第２翼９７ａ２を有する。ドレンタンク９９は、蒸発器９８の表面から落下した水分（水滴）を受け入れる。ドレンタンク９９に溜まった水は、除湿機８１から適宜ドレンタンク９９を抜き出して廃棄される。
【００６３】
除湿機８１では、送風機９７が回転することにより、第１吸込口９１、凝縮器９６、送風機９７および吹出口９４に至る第１風路１０１が形成され、第２吸込口９２、蒸発器９８、送風機９７および吹出口９４に至る第２風路１０２が形成され、第３吸込口９３、送風機９７および吹出口９４に至る第３風路１０３が形成される。
【００６４】
第３吸込口９３からドレンタンク９９までの間には、捕虫通路１０４が形成されている。捕虫通路１０４は、第３吸込口９３から送風機９７と蒸発器９８との間を通り、ドレンタンク９９に達している。第３吸込口９３には開閉可能なルーバ１０５が設けられている。捕虫通路１０４は、ルーバ１０５が閉じた状態において、捕虫通路１０４に入り込んだ虫が逃げ出せない構造である。すなわち、ルーバ１０５の閉状態において、第２風路１０２を通る空気は、捕虫通路１０４から送風機９７へ移動可能であるものの、虫は、捕虫通路１０４に閉じ込められる。
【００６５】
なお、捕虫通路１０４には、蚊を捕虫通路１０４へ誘引し易くするために、誘引部１０６が設けられている。誘引部１０６は、前述した誘引光源２１あるいは加熱部１４からなる。誘引部１０６の位置は、特に限定されないが、図６に示すように、捕虫通路１０４における蒸発器９８と第３吸込口９３との間の位置とすることができる。
【００６６】
（ルーバの制御系統の構成）
図７は、ルーバ１０５の制御系統の構成を示すブロック図である。図７に示すように、除湿機８１は、電源スイッチ１１１、入力部１１２、制御部１１３およびルーバ駆動モータ１１４を備えている。電源スイッチ１１１は除湿機８１の運転、停止を切り替えるスイッチである。入力部１１２は、ユーザが除湿機８１の動作を選択する入力部であり、例えば除湿機８１の捕虫動作のオンオフを入力可能である。ルーバ駆動モータ１１４は、ルーバ１０５を駆動して、ルーバ１０５を開閉させるモータである。制御部１１３は、入力部１１２にて捕虫動作がオンされた場合に、ルーバ駆動モータ１１４の駆動を制御してルーバ１０５の開閉を制御する。
【００６７】
具体的には、制御部１１３は、除湿機８１の運転中において、ルーバ１０５を所定の開時間だけ開状態とし、開時間が経過すると、ルーバ１０５を所定の閉時間だけ閉状態する。すなわち、制御部１１３は、この開状態と閉状態とが繰り返されるように、ルーバ駆動モータ１１４を制御する。
【００６８】
開時間は、除湿機８１の付近に蚊がいた場合に、第３吸込口９３から蚊が捕虫通路１０４へ入り込むような適当に時間に設定される。閉時間は、捕虫通路１０４へ入り込んだ蚊が蒸発器９８が生じる冷気（例えば１０〜１５℃）によって弱体化し、ドレンタンク９９内へ落下するような適当に時間に設定される。
【００６９】
（除湿機の通常動作）
上記の構成において、除湿機８１の動作について以下に説明する。除湿機８１は、第２風路１０２および第３風路１０３を通る空気を蒸発器９８にて冷却し、空気に含まれる水分を結露させることにより、空気に含まれる水分を取り除き、除湿する。
【００７０】
一方、凝縮器９６は、第１風路１０１を通る空気を暖める。したがって、吹出口９４からは、第１風路１０１を通った暖かい空気と、第２風路１０２および第３風路１０３を通った冷たい空気とが混ぜ合わされ、適温となった状態で吹き出される。
【００７１】
（除湿機の捕虫動作）
除湿機８１の運転中には、第１吸込口９１〜第３吸込口９３から除湿機８１の内部へ取り込まれた空気が除湿されて吹出口９４から機外へ吹き出される。ここで、入力部１１２に対するユーザの操作により、捕虫動作が選択されていると、ルーバ１０５は、所定の開時間だけ開状態となる動作、および所定の閉時間だけ閉状態となる動作を繰り返す。この場合、ルーバ１０５の開状態において第３吸込口９３から捕虫通路１０４へ入り込んだ蚊１０７は、ルーバ１０５の閉状態において捕虫通路１０４に閉じ込められる。その蚊１０７は、蒸発器９８の冷気を受けて弱体化し、除湿により生じた水を収容するドレンタンク９９内へ落下し、死に至る。ドレンタンク９９内の蚊１０７は、ドレンタンク９９を取り出してドレン水を廃棄する際に同時に廃棄することができる。
【００７２】
なお、除湿機８１は、凝縮器９６が熱を発生するので、その熱を利用して除湿機８１に蚊を誘引する構成としてもよい。この場合には、凝縮器９６が発生する熱を、例えば図４に示した加熱部１４（モータ支持部材６１、伝熱部材６２および放熱部材６３を有する構成）によって、除湿機８２の筐体９５へ伝える構成とすればよい。このような構成によれば、空気清浄機４１と同様、蚊を除湿機８１に誘引することができる。
【００７３】
〔変形形態２〕
本発明の他の変形形態を図面に基づいて以下に説明する。なお、説明の便宜上、前記変形形態にて説明した部材と同じ機能を有する部材については、同じ符号を付記し、その説明を省略する。本変形形態では、一例として、本発明の空気処理装置を除湿機に適用した場合について説明する。
【００７４】
（除湿機の構成）
図８は、本変形形態の除湿機の内部構造を示す縦断面図である。図６に示した除湿機８１が第３吸込口９３にルーバ１０５を備えていたのに対し、図８に示すように、本変形形態の除湿機８２は、第３吸込口９３の形状を工夫し、ルーバ１０５を備えない構成となっている。
【００７５】
具体的には、第３吸込口９３は、捕虫通路１０４の上端部から下方へ向かうにしたがって、開口の大きさが漸次小さくなった形状を有している。すなわち、第３吸込口９３は、虫（蚊）が捕虫通路１０４へ入り易く、捕虫通路１０４から出難い形状となっている。
【００７６】
これにより、除湿機８２では、除湿機８１が備えていた、ルーバ１０５、ルーバ駆動モータ１１４およびルーバ駆動モータ１１４を制御する制御部１１３等が不要となっている。除湿機８２における他の構成は、除湿機８１の場合と同様である。
【００７７】
（除湿機の捕虫動作）
除湿機８２では、第３吸込口９３は、捕虫通路１０４の上端部から下方へ向かうにしたがって開口の大きさが漸次小さくなっているので、捕虫通路１０４へ入り込んだ蚊は第３吸込口９３から容易には逃げ出すことができない。したがって、除湿機８２は、除湿機８１と同様の捕虫機能を備えることができる。
【００７８】
〔まとめ〕
本発明の態様１に係る空気処理装置（空気清浄機１）は、空気吸込口（吸込口４）、空気吹出口（吹出口５）、送風機１０および空気処理部（プレフィルタ８、ＨＥＰＡフィルタ９、イオン発生装置１１）を有し、前記送風機１０が前記空気吸込口から前記空気処理部を経て前記空気吹出口へ向かう空気の流れを生じさせ、前記空気の流路に捕虫部材（捕虫シート３１）が設けられている空気処理装置において、熱により虫を誘引する加熱部１４を備えている構成である。
【００７９】
上記の構成によれば、空気処理装置（空気清浄機１）は、加熱部１４が発する熱により、蚊等の虫を誘引し、効率よく捕虫することができる。
【００８０】
例えば、加熱部１４が空気処理装置の適当な位置に設けられていることにより、蚊等の虫を空気処理装置に誘引し、空気吸込口（吸込口４）に向う空気の流れにより蚊等の虫を空気処理装置の内部に取り込み易くなる。これにより、捕虫部材（捕虫シート３１）によって蚊等の虫を捕虫し易くなる。
【００８１】
本発明の態様２に係る空気処理装置は、上記態様１において、前記加熱部１４は、電気が供給されて発熱するヒータである構成としてもよい。
【００８２】
上記の構成によれば、加熱部を、電気が供給されて発熱する汎用のヒータにより容易に構成することができる。
【００８３】
本発明の態様３に係る空気処理装置（空気清浄機４２）は、上記態様１において、前記加熱部１４は、蓄熱材７１である構成としてもよい。
【００８４】
上記の構成によれば、加熱部１４は、単に蓄熱材７１を配置するだけでよいので、加熱部１４を配置するために、別途、電気の配線や何等かの部材を設けるなどの対応が不要である。したがって、空気処理装置（空気清浄機４２）は、加熱部１４を容易に備えることができる。
【００８５】
本発明の態様４に係る空気処理装置（空気清浄機１，４２）は、上記態様１または２において、前記空気吸込口（吸込口４）および前記空気吹出口（吹出口５）が形成され、内部に前記送風機１０および前記空気処理部（プレフィルタ８、ＨＥＰＡフィルタ９、イオン発生装置１１）が設けられている筐体（本体部筐体２、カバー部材３）を有し、前記捕虫部材（捕虫シート３１）は、表面に粘着面を有する捕虫シート３１からなり、前記筐体（カバー部材３）の内面に取り付けられ、前記加熱部１４は、前記筐体（カバー部材３）の内面と前記捕虫シート３１との間に設けられている構成としてもよい。
【００８６】
上記の構成によれば、加熱部１４は、筐体（カバー部材３）の内面と捕虫シート３１との間に設けられているので、効率よく捕虫シート３１を加熱して蚊等の虫を捕虫シート３１に誘引する。これにより、空気処理装置（空気清浄機１，４２）は、効率よく捕虫することができる。
【００８７】
本発明の態様５に係る空気処理装置は、上記態様４において、前記筐体は、前記空気吹出口（吹出口５）が形成され、内部に前記送風機１０および前記空気処理部（プレフィルタ８、ＨＥＰＡフィルタ９、イオン発生装置１１）が設けられている本体部筐体２と、前記空気吸込口（吸込口４）が形成され、前記本体部筐体２に対して着脱自在に取り付けられるカバー部材３とを備え、前記本体部筐体２とカバー部材３との間には、前記空気吸込口とつながる捕虫空間２５が設けられ、前記捕虫シート３１および前記加熱部１４は、前記カバー部材３の内面に設けられている構成としてもよい。
【００８８】
上記の構成によれば、空気吸込口（吸込口４）から捕虫空間２５に入り込んだ蚊等の虫を、加熱部１４により加熱された捕虫シート３１に誘引し、捕虫シート３１により効率よく捕虫することができる。また、また、カバー部材３は、本体部筐体２に対して着脱自在であるので、カバー部材３を本体部筐体２から取り外して、捕虫シート３１を容易に交換することができる。
【００８９】
本発明の態様６に係る空気処理装置（空気清浄機４１）は、上記態様１において、前記加熱部１４は、前記送風機１０のモータ１０ａの排熱を当該空気処理装置の本体部筐体２へ伝える伝熱部（モータ支持部材６１、伝熱部材６２、放熱部材６３）を備えている構成としてもよい。
【００９０】
上記の構成によれば、送風機１０のモータ１０ａの排熱が伝熱部（モータ支持部材６１、伝熱部材６２、放熱部材６３）を介して本体部筐体２に伝わり、本体部筐体２が加熱される。これにより、空気処理装置（空気清浄機４１）は、本体部筐体２の加熱された領域の周りに蚊等の虫を誘引し、効率よく捕虫することができる。すなわち、本体部筐体２の加熱された領域の周りに誘引された蚊等の虫を、空気吸込口（吸込口４）に向う空気の流れにより空気処理装置の内部に取り込み易くなり、捕虫部材（捕虫シート３１）によって捕虫し易くなる。
【００９１】
また、加熱部１４は、送風機１０のモータ１０ａの排熱を利用して本体部筐体２を加熱するので、空気清浄機１の省エネルギーに寄与することができる。
【００９２】
本発明の態様７に係る空気処理装置（空気清浄機１，４１，４２）は、上記態様１から６のいずれか１態様において、前記加熱部１４は、加熱対象物を３５〜４０℃の範囲の温度に加熱する構成としてもよい。
【００９３】
上記の構成によれば、加熱部１４は、加熱対象物を特に蚊を誘引し易い３５〜４０℃の範囲の温度に加熱する。これにより、蚊を効率よく捕虫することができる。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９５】
１，４１，４２    空気清浄機
２    本体部筐体（筐体）
３    カバー部材（筐体）
４    吸込口（空気吸込口）
５    吹出口（空気吹出口）
６    操作部
７    送風通路
８    プレフィルタ（空気処理部）
９    ＨＥＰＡフィルタ（空気処理部）
１０    送風機
１０ａ  モータ
１１    イオン発生装置（空気処理部）
１４    加熱部
２０    流入口
２１    誘引光源
３１    捕虫シート（捕虫部材）
３２    基材シート
３３    粘着剤
３４    取付板
５１    ヒータ
６１    モータ支持部材（伝熱部）
６２    伝熱部材（伝熱部）
６３    放熱部材（伝熱部）
７１    蓄熱材
７２    蓄熱材収納部
８１，８２    除湿機
９１    第１吸込口
９２    第２吸込口
９３    第３吸込口
９４    吹出口
９５    筐体
９６    凝縮器
９７    送風機
９８    蒸発器
９９    ドレンタンク
１００    コンプレッサ
１０１    第１風路
１０２    第２風路
１０３    第３風路
１０４    捕虫通路
１０５    ルーバ
１０６    誘引部
１０７    蚊
１１１    電源スイッチ
１１２    入力部
１１３    制御部
１１４    ルーバ駆動モータ
【図１】
2017221447.tif 000003
【図２】
2017221447.tif 000004
【図３】
2017221447.tif 000005
【図４】
2017221447.tif 000006
【図５】
2017221447.tif 000007
【図６】
2017221447.tif 000008
【図７】
2017221447.tif 000009
【図８】
2017221447.tif 000010
【国際調査報告】
2017221447.tif 000011
2017221447.tif 000012
2017221447.tif 000013
2017221447.tif 000014